(57)【要約】【課題】押圧部材を取り替える等の煩雑な作業を伴うことなく、簡易な構成にて糊付けの寸法を変更可能な糊付け装置を提供する。【解決手段】糊付け装置は、片面に糊が付着した糊シート１２１の一部を用紙に押し付けて糊を転写させる。この糊付け装置は、用紙の糊付け位置に対向配置される受圧面３５と、受圧面３５に対向配置可能な複数の押圧面を有する糊付けヘッド１２６を有する。切り替え機構により糊付けヘッド１２６の押圧面が切り替えられ、押圧面と受圧面３５との糊シートの送り方向の圧接長さを複数段に切り替えることができる。【選択図】図６
2009196792.tif 000002
【特許請求の範囲】
【請求項１】
片面に糊が付着した糊シートの一部を用紙に押し付けて糊を転写させる糊付け装置において、
前記用紙の糊付け位置に対向配置される受圧面と、
前記受圧面に対向配置される押圧面を有する糊付けヘッドと、
前記押圧面と前記受圧面との間に介在する糊シートを、前記用紙への糊の転写ごとに送る送り手段と、
前記糊付けヘッドを駆動し、前記押圧面を前記用紙と前記糊シートを間に挟むように前記受圧面に圧接させる駆動手段と、
前記押圧面と前記受圧面との前記糊シートの送り方向の圧接長さを複数段に切り替える切り替え機構と、
を備えたことを特徴とする糊付け装置。
【請求項２】
前記糊付けヘッドは、前記押圧面として前記糊シートの送り方向の長さが互いに異なる複数の面を有し、
前記受圧面は、前記糊シートの送り方向の長さが最も長い押圧面よりもその送り方向の長さが等しいかまたは長くなるように構成され、
前記切り替え機構は、前記糊付けヘッドを変位させて前記複数の押圧面のいずれかを前記受圧面に対向配置させることを特徴とする請求項１に記載の糊付け装置。
【請求項３】
前記糊付けヘッドがその回転軸の周りに回転可能に構成されるとともに、その外周に沿って前記複数の押圧面がそれぞれ形成され、
前記切り替え機構は、前記糊付けヘッドを回転させて前記複数の押圧面のいずれかを前記受圧面に対向配置させることを特徴とする請求項２に記載の糊付け装置。
【請求項４】
前記複数の押圧面のいずれが前記受圧面に対向しているかを検知する検知手段を備えたことを特徴とする請求項１〜３のいずれかに記載の糊付け装置。
【発明の詳細な説明】
【技術分野】
【０００１】
本発明は、転写用の糊が付着した糊シートを被転写材に押し付けて糊を転写させる糊付け装置に関する。
【背景技術】
【０００２】
印刷済み用紙の所定位置に糊を付着させ、その用紙を順次重ねて貼り付けることにより冊子を形成する製本装置が知られている。従来はその糊付け工程において液状の糊を塗布する装置構成が主流であったが、近年では糊の供給機構をより簡素化するために、糊シートを用いる装置が提案されている（例えば、特許文献１参照）。
【０００３】
糊シートは剥離シート上に転写用の糊が付着されたものであり、糊付け工程において用紙の糊付け位置にその糊シートの一部を押し付けることにより、用紙に糊が転写される。糊が転写された用紙は、用紙蓄積部に搬送されて順次積載され、その糊を介して互いに圧着される。糊シートは糊付けのたびに一定量ずつ送られ、その非転写面側から押圧部材の押圧面を押し付けることにより所定寸法の糊が用紙に転写される。
【特許文献１】特開２００７−２１６６７７号公報
【発明の開示】
【発明が解決しようとする課題】
【０００４】
しかしながら、このような糊付け装置においては押圧部材の押圧面が固定されているため、例えば異なるサイズの用紙について糊付け面積を変更する場合には、押圧部材を交換するなどの煩雑な作業を要する。
【０００５】
本発明はこのような問題に鑑みてなされたものであり、その目的は、押圧部材を取り替える等の煩雑な作業を伴うことなく、簡易な構成にて糊付けの寸法を変更可能な糊付け装置を提供することにある。
【課題を解決するための手段】
【０００６】
上記課題を解決するために、本発明のある態様は、片面に糊が付着した糊シートの一部を用紙に押し付けて糊を転写させる糊付け装置において、用紙の糊付け位置に対向配置される受圧面と、受圧面に対向配置される押圧面を有する糊付けヘッドと、押圧面と受圧面との間に介在する糊シートを、用紙への糊の転写ごとに送る送り手段と、糊付けヘッドを駆動し、押圧面を用紙と糊シートを間に挟むように受圧面に圧接させる駆動手段と、押圧面と受圧面との糊シートの送り方向の圧接長さを複数段に切り替える切り替え機構と、を備える。
【０００７】
ここでいう「糊」は広義の糊を意味し、各種合成樹脂系の接着剤をも含みうる。糊付け装置は、例えば製本装置等のシステムの一部を構成し、所定の搬送手段によって順次用紙が導入され、糊付け処理後に用紙を搬送方向下流側へ導出するものでもよい。「圧接長さ」は、押圧面と受圧面とに圧接される糊シートの送り方向の長さに相当する。押圧面のほうが受圧面よりもその送り方向に小さい場合、その送り方向の押圧面の長さが圧接長さに対応する。その場合には、その送り方向の長さが異なる複数の押圧面を設け、切り替え機構によりその押圧面を切り替えることにより、圧接長さを切り替えることができる。逆に、押圧面のほうが受圧面よりもその送り方向に大きい場合、その送り方向の受圧面の長さが圧接長さに対応する。その場合には、その送り方向の長さが異なる複数の受圧面を設け、切り替え機構によりその受圧面を切り替えることにより、圧接長さを切り替えることができる。あるいは、押圧面および受圧面の少なくとも一方を可撓性を有する部材にて構成し、押圧力を変化させることにより圧接長さを切り替えるようにしてもよい。
【０００８】
この態様によれば、切り替え機構により糊シートの送り方向の圧接長さが複数段に切り替えられるため、作業者が糊付けヘッドを交換する等の煩雑な作業を伴うこともない。
【０００９】
より具体的には、糊付けヘッドが、押圧面として糊シートの送り方向の長さが互いに異なる複数の面を有してもよい。受圧面は、糊シートの送り方向の長さが最も長い押圧面よりもその送り方向の長さが等しいかまたは長くなるように構成される。そして、切り替え機構が、糊付けヘッドを変位させて複数の押圧面のいずれかを受圧面に対向配置させるようにしてもよい。
【００１０】
その場合、糊付けヘッドがその回転軸の周りに回転可能に構成されるとともに、その外周に沿って複数の押圧面がそれぞれ形成されていてもよい。そして、切り替え機構が、糊付けヘッドを回転させて複数の押圧面のいずれかを受圧面に対向配置させてもよい。
【００１１】
さらに、複数の押圧面のいずれが受圧面に対向しているかを検知する検知手段が設けられているのが好ましい。この検知手段の検知情報に基づいて現在の圧接長さ、つまり糊シートの転写長さを判定することができるため、用紙の寸法や材質等に応じて適切な押圧面に切り替えることができる。
【００１２】
糊付けヘッドは、例えば、複数の押圧面のそれぞれを一辺とする多角形状に形成されていてもよい。あるいは、回転軸を中心に回転する本体から複数の押圧面のそれぞれが半径方向外向きに突出するように形成されていてもよい。
【００１３】
あるいは、受圧面として糊シートの送り方向の長さが互いに異なる複数の面を設けてもよい。その場合、押圧面は、糊シートの送り方向の長さが最も長い受圧面よりもその送り方向の長さが等しいかまたは長くなるように構成される。そして、切り替え機構が、複数の受圧面のいずれかを押圧面に対向配置させるようにしてもよい。例えば、糊付けヘッドの押圧面との対向位置にいずれかの受圧面を対向配置できるよう、複数の受圧面を有する受圧部材をその対向位置に配置し、切り替え機構によりその受圧面を切り替えられるようにしてもよい。受圧部材は、自軸回りに回転可能な本体の周囲に複数の受圧面が形成され、その回転により押圧面に対向する受圧面が切り替えられるものであってもよい。あるいは、複数の受圧面が所定方向に並設され、並進動作によって押圧面に対向する受圧面が切り替えられるものであってもよい。その場合にも、複数の受圧面のいずれが押圧面に対向しているかを検知する検知手段が設けられているのが好ましい。
【発明の効果】
【００１４】
本発明の糊付け装置によれば、押圧部材を取り替える等の煩雑な作業を伴うことなく、簡易な構成にて糊付けの寸法を変更することできる。
【発明を実施するための最良の形態】
【００１５】
以下、図面を参照して本発明の実施の形態（以下、実施形態という）について詳細に説明する。
【００１６】
図１は、実施形態に係る製本装置１０の全体構成図である。製本装置１０は、給紙装置１２、中綴じ折り装置１４、断裁装置１６、スタッカ１８、および管理装置２０を有する。
【００１７】
給紙装置１２は、Ａトレイ２２Ａ、Ｂトレイ２２Ｂ（以下、必要に応じてこれらを「トレイ２２」と総称する）を有する。トレイ２２には、印刷、電子写真方式、インクジェット方式などによる画像形成方法によって画像が形成された用紙が積載される。
【００１８】
給紙装置１２には、各種演算処理を実行するＣＰＵ、各種制御プログラムを格納するＲＯＭ、データ格納やプログラム実行のためのワークエリアとして利用されるＲＡＭを有する給紙制御部１１０が設けられている。Ａトレイ２２ＡおよびＢトレイ２２Ｂの各々に対応して、分離給送機構２４が設けられている。分離給送機構２４は、対応するトレイ２２に積載された用紙のうち最上位の用紙を分離して送り出す。分離給送機構２４はエア吸引式のものが採用されている。エア吸引式の分離給送機構は公知であるため、その詳細な説明は省略する。なおエア吸引式の分離給送機構に代えて、いわゆるフリクション式の分離給送機構が設けられてもよいことは勿論である。
【００１９】
また、給紙装置１２は、トレイ２２の各々を昇降させる昇降機構（図示せず）、およびトレイ２２の各々に積載された用紙の高さを検知する用紙高さセンサ（図示せず）を有する。給紙制御部１１０は、トレイ２２に積載された用紙のうち最上位の用紙が給紙可能高さに達したことが検知されたときにトレイ２２の上昇を停止させる。こうして給紙制御部１１０は、トレイ２２の最上位に積載された用紙の高さを給紙可能高さに維持し、分離給送機構２４による用紙の連続的な送り出しを可能としている。
【００２０】
給紙装置１２は、スイッチバック反転機構２６を有する。管理装置２０においてユーザにより反転を指定する入力がなされた場合に、スイッチバック反転機構２６はＡトレイ２２Ａから送り出された用紙を反転させて用紙搬送路に戻す。Ａトレイ２２Ａから送り出された用紙が搬送される用紙搬送路、およびＢトレイ２２Ｂから送り出された用紙が搬送される用紙搬送路は、共通搬送路２８で合流する。
【００２１】
中綴じ折り装置１４は、糊転写機構３０、綴じ機構５０、および折り機構７０を有する。糊転写機構３０は、給紙装置１２から送り込まれた用紙に糊を転写する。綴じ機構５０は、糊転写機構３０によって糊が転写された用紙を貼り合わせて綴じることにより、用紙束を作成する。糊転写機構３０および綴じ機構５０の構成については後述する。中綴じ折り装置１４には、糊付け制御部１１２が設けられている。糊付け制御部１１２はＣＰＵ、ＲＯＭ、およびＲＡＭを有し、糊転写機構３０に設けられたアクチュエータの作動を制御することにより、用紙への糊の転写を制御する。また、中綴じ折り装置１４には、綴じ制御部１１４が設けられている。綴じ制御部１１４はＣＰＵ、ＲＯＭ、およびＲＡＭを有し、綴じ機構５０に設けられたアクチュエータの作動を制御することにより、用紙の綴じ処理を制御する。
【００２２】
折り機構７０は、用紙束搬送ローラ７３、折りストッパ７４、折りナイフ７６、折りローラ７８、およびベルト搬送機構８０を有する。用紙束搬送ローラ７３は、用紙束が搬送される用紙搬送プレート７２を上下で挟むように一対設けられる。用紙束搬送ローラ７３は、折り処理時に用紙束の挟持を解除することができるよう、上方の用紙束搬送ローラ７３が上方に移動可能とされている。
【００２３】
折りストッパ７４は、用紙搬送プレート７２の用紙搬送方向下流側（以下、「下流側」という）端部近傍に、用紙搬送プレート７２上面より上方に突出するよう配置される。折りストッパ７４はボールネジ機構を介してストッパ移動モータ（図示せず）に接続されており、ストッパ移動モータが作動することにより用紙搬送方向に移動する。綴じ機構５０から用紙搬送プレート７２上に送り込まれた用紙束は、前端部が折りストッパ７４に当接したところで用紙搬送方向の位置決めがされる。折りストッパ７４は、当接した用紙束の折りラインが、折りナイフ７６に当接する位置になるよう、予め用紙搬送方向に移動されている。なお、製本装置１０では、用紙搬送方向と垂直な方向（以下、「用紙幅方向」という）が折りラインと平行な方向となる。
【００２４】
用紙搬送プレート７２の上方には一対の折りローラ７８が、軸方向が用紙幅方向に向くよう、用紙搬送方向に並設されている。折りナイフ７６は、折りナイフ駆動モータ（図示せず）が作動することにより一対の折りローラ７８の間に上昇し用紙搬送プレート７２の下方に下降することが可能となっている。折りストッパ７４により用紙束が用紙搬送方向の位置決めがされた状態で折りナイフ７６を上昇させることにより、用紙束が一対の折りローラ７８の間に巻き込まれる。一対の折りローラ７８は、ギヤ機構などを介して折りローラ駆動モータに接続されている。折りローラ駆動モータが作動することにより、巻き込んだ用紙束を折りたたみながら上方に搬送するように一対の折りローラ７８が駆動される。一対の折りローラ７８によって折りたたまれた冊子は、一対の折りローラ７８のニップ部から上方に向かう綴じ折り冊子搬送路８２を通ってベルト搬送機構８０に送り込まれる。ベルト搬送機構８０は、作成された冊子を断裁装置１６の用紙搬送路９２に送り出す。
【００２５】
中綴じ折り装置１４には、折り制御部１１６が設けられる。折り制御部１１６はＣＰＵ、ＲＯＭ、およびＲＡＭを有し、折りストッパ７４の用紙搬送方向位置、折りナイフ７６の昇降、および折りローラ７８の駆動を制御する。
【００２６】
断裁装置１６は、三方断裁機構９０を有する。三方断裁機構９０は、小口断裁刃９８、用紙押さえ部９６、ストッパ９４、サイドガイド（図示せず）、および一対の天地断裁刃（図示せず）を有する。
【００２７】
ストッパ９４は、ソレノイド（図示せず）をオン・オフすることにより、用紙搬送路９２に進退可能とされている。冊子の小口を断裁する場合、三方断裁機構９０は、各々の冊子が送り込まれる前にストッパ９４を用紙搬送路９２から上方に突出させておく。ストッパ９４はボールネジ機構を介してストッパ移動モータ（図示せず）に接続されており、ストッパ移動モータが作動することにより用紙搬送方向に移動する。
【００２８】
三方断裁機構９０に搬送された冊子は、背がストッパ９４に当接する直後のタイミングで搬送が停止される。冊子の天地は、ストッパ９４に当接する以前に一対のサイドガイド（図示せず）によって位置決めされる。用紙押さえ部９６は、モータ（図示せず）が作動することにより、ストッパ９４に当接した冊子に向けて下降する。
【００２９】
小口断裁刃９８は、用紙押さえ部９６より用紙搬送方向上流側（以下、「上流側」という）の用紙搬送路９２上方に設けられ、小口断裁モータ（図示せず）が作動することにより下降する。天地断裁刃は、用紙搬送路９２上方に用紙押さえ部９６を挟んでそれぞれ一つずつ設けられ、天地断裁モータ（図示せず）が作動することにより下降する。これら一対の天地断裁刃は、中心振り分け方式により相互に離間または近接する方向に移動可能とされており、天地断裁刃移動モータ（図示せず）が作動するによって、ギヤ機構などを介して相互に離間または近接する方向に移動する。
【００３０】
サイドガイドの間を通過することにより天、地の位置が揃えられ、且つストッパ９４により用紙搬送方向の位置決めがされた状態で、用紙押さえ部９６が下降して冊子が押さえつけられる。この状態で、まず小口断裁刃９８が小口を断裁し、次に一対の天地断裁刃が、冊子の天と地を断裁する。こうして最終的な中綴じ折り冊子が作成される。断裁処理が施された冊子は、スタッカ１８上に搬送される。なお、三方断裁機構９０に代えて、小口のみを断裁する小口断裁機構が設けられてもよい。
【００３１】
断裁装置１６には、断裁制御部１１８が設けられる。断裁制御部１１８はＣＰＵ、ＲＯＭ、およびＲＡＭを有し、ストッパ９４の用紙搬送方向位置、天地断裁刃の用紙幅方向位置、小口断裁刃９８および天地断裁刃による冊子の断裁を制御する。
【００３２】
管理装置２０は、管理ＰＣ（Personal Computer）１００、ディスプレイ１０２、キーボード１０４、マウス１０６によって構成される。管理ＰＣ１００は、ＣＰＵ、ＲＯＭ、ＲＡＭ、ハードディスクなどを有し、給紙装置１２、中綴じ折り装置１４、および断裁装置１６とデータの送受信可能に接続されている。ディスプレイ１０２、キーボード１０４、およびマウス１０６は管理ＰＣ１００に接続されている。
【００３３】
管理ＰＣ１００は、ディスプレイ１０２に設定画面を表示することにより、ユーザによって各種の設定入力が可能な状態とする。ユーザは、設定画面が表示された状態でキーボード１０４やマウス１０６を使って各種の設定入力をすることができる。ディスプレイ１０２に表示されたスタートボタンがユーザによってクリックされると、管理ＰＣ１００は、設定内容を示す情報と共に製本処理を開始する旨を示すスタート信号を、給紙制御部１１０、糊付け制御部１１２、綴じ制御部１１４、折り制御部１１６、および断裁制御部１１８に送信する。
【００３４】
図２は、糊転写機構３０および綴じ機構５０の構成を示す図である。糊転写機構３０は、搬送ローラ３２、用紙搬送プレート３４、糊シートユニット３６、サクション搬送機構４２、および用紙センサ４０を有する。用紙搬送プレート３４には、給紙装置１２の共通搬送路２８から用紙が搬送される。搬送ローラ３２は、用紙搬送プレート３４を挟んで対向するように配置され、用紙搬送プレート３４上に送り込まれた用紙を下流側に向けて搬送する。サクション搬送機構４２は、搬送ローラ３２によって搬送された用紙を、さらに下流側へと搬送する。サクション搬送機構４２の構成は公知であることから説明を省略する。
【００３５】
なお、糊転写機構３０には、用紙幅方向への用紙の移動を規制するサイドガイド（図示せず）が、装置前方および後方にそれぞれ１つずつ設けられている。この一対のサイドガイドの各々は、互いに対向する用紙規制面を有する。本実施形態では、一対のサイドガイドはいわゆる中心振り分け方式により用紙幅方向の中央から用紙規制面までの距離が等しくなるよう移動可能に構成されている。一対のサイドガイドの各々はギヤ機構を介してモータに接続されており、このモータを作動させることにより、対向する用紙規制面の間の距離を用紙の幅に合わせて変化させることが可能となっている。
【００３６】
糊シートユニット３６は、搬送ローラ３２とサクション搬送機構４２の間において、用紙搬送プレート３４の上方に配置される。糊シートユニット３６は昇降可能に設けられており、下降することにより用紙搬送プレート３４上に搬送された用紙の上面に糊を転写する。本実施形態では、糊シートユニット３６は４つ、用紙幅方向に並設されている。なお、糊シートユニット３６の数は４つに限られず、２つ、３つ、または５つ以上でもよいことは勿論である。
【００３７】
ここで、糊シートユニット３６の構成について詳述する。図３は、糊シートユニット３６の構成を模式的に表した図である。糊シートユニット３６は、フレーム１２０、供給リール１２２、巻取りリール１２４、糊付けヘッド１２６、巻取りギヤ１２８、第１アイドラギヤ１３０、第２アイドラギヤ１３２、昇降部材１３６、シャフト１３８、ストッパ１４０、およびバネ１４２を有する。理解が容易となるよう、図３では、フレーム１２０は断面を示している。
【００３８】
糊シート１２１は、可撓性のあるシートの一方の面に糊が付けられて構成されている。供給リール１２２は、糊が付着された糊付着面が外側となるようこの糊シート１２１が巻回された状態で回転可能にフレーム１２０に取り付けられる。糊シート１２１の糊が付けられている側を用紙に押し付けることにより、押し付けられた部分の糊はシートから剥がれて用紙に付着する。このような糊シートは公知であるため、糊シート１２１の構成に関する詳細な説明は省略する。
【００３９】
巻取りリール１２４は、供給リール１２２の横に並ぶようにフレーム１２０に取り付けられている。糊付けヘッド１２６は、供給リール１２２と巻取りリール１２４との間の下方に回転可能にフレーム１２０に取り付けられている。糊付けヘッド１２６は、その下端の押圧面がフレーム１２０の最下部から突出し、糊シート１２１の糊付着面の裏面に一定のテンションを維持しつつ当接している。本実施形態の糊付けヘッド１２６は、その回転軸１２７を中心に回転することにより押圧面を切り替え可能に構成されている。回転軸１２７は、フレーム１２０に回転可能に支持されている。この糊付けヘッド１２６の構成および動作の詳細については後述する。
【００４０】
糊シート１２１は、供給リール１２２と巻取りリール１２４との間において、その糊付着面の裏面が糊付けヘッド１２６の外面に一定のテンションを保持しつつ当接される。巻取りリール１２４が回転すると、供給リール１２２に巻回された糊シート１２１が引き出され、糊付けヘッド１２６の外面を経由して巻取りリール１２４に巻き取られる。供給リール１２２は適度な摩擦が生じるよう回転軸に嵌挿されており、巻取りリール１２４によって糊シート１２１が巻き取られても、糊シート１２１に適度なテンションが保たれる。糊付けヘッド１２６は、その押圧面が糊シート１２１および用紙に密着できるよう弾性材料によって形成されている。
【００４１】
巻取りリール１２４には、共に同軸に回転するよう巻取りギヤ１２８が固定されている。第１アイドラギヤ１３０は、第１ギヤ部１３０ａと、第１ギヤ部１３０ａより少ない歯数を有する第２ギヤ部１３０ｂとを同軸に有する。このうち第１ギヤ部１３０ａが巻取りギヤ１２８に噛合する。第２アイドラギヤ１３２は、第３ギヤ部１３２ａと、第３ギヤ部１３２ａより多い歯数を有する第４ギヤ部１３２ｂとを同軸に有する。このうち第３ギヤ部１３２ａが、第１アイドラギヤ１３０の第２ギヤ部１３０ｂと噛合する。糊シートユニット３６が配置される周辺の糊転写機構３０のフレーム（図示せず）には、ラックギヤ１３４が固定されている。ラックギヤ１３４は上下方向に延在するよう配置される。このラックギヤ１３４のギヤ部１３４ａと、第２アイドラギヤ１３２の第４ギヤ部１３２ｂとが噛合する。
【００４２】
こうして、糊シートユニット３６が下降することにより、第２アイドラギヤ１３２、第１アイドラギヤ１３０、および巻取りギヤ１２８を介して巻取りリール１２４が駆動され、巻取りリール１２４に糊シート１２１が巻き取られる。巻取りリール１２４とその回転軸との間にはワンウェイクラッチ（図示せず）が設けられており、糊シートユニット３６が上昇するときには糊シート１２１は巻き取られない。なお、ラックギヤ１３４のギヤ部１３４ａは、ラックギヤ１３４の上方において削除されていてもよい。これにより、糊シートユニット３６が下降して糊シート１２１が用紙の上面に当接するときに糊シート１２１が巻き取られて用紙がずれることを回避することができる。
【００４３】
フレーム１２０の上面には、シャフト１３８が固定されている。シャフト１３８の上端にはシャフト１３８よりも外径の大きいストッパ１４０が設けられている。昇降部材１３６には、シャフト１３８よりも僅かに大きい内径を有する挿通孔が設けられており、この挿通孔にシャフト１３８が挿通される。シャフト１３８の外周に巻かれるようにバネ１４２が昇降部材１３６の下面とフレーム１２０の間の部分に配置される。バネ１４２は、糊シートユニット３６が下降して糊シート１２１が用紙の上面に押し付けられたときに適度に収縮する。
【００４４】
図４は、図３において糊シートユニット３６を視点Ｐから見た図である。フレーム１２０の装置前方および後方の側面には、突出するガイド部１４９が設けられている。ガイド部１４９には上下方向に貫通する挿通孔が設けられており、この挿通孔にシャフト１４４が挿通される。シャフト１４４の上端には、シャフト１４４よりも径の大きいストッパ１４８が設けられている。シャフト１４４の下端には、用紙を押さえる用紙押さえ部１４６が設けられている。シャフト１４４の外周に巻かれるようにバネ１４５が用紙押さえ部１４６とガイド部１４９との間に配置される。これにより、糊シートユニット３６が下降して用紙の上面に糊を転写するとき、バネ１４５の付勢力によって糊シート１２１の糊をシートから剥がすことができる。
【００４５】
ここで、糊付けヘッド１２６の構成および動作について詳述する。図５は、糊付けヘッド１２６およびその周辺の構成を模式的に表した図である。（ａ）は図３と同じ方向からみた正面図を表し、（ｂ）は背面図を表し、（ｃ）は左側断面図を表している。
【００４６】
糊付けヘッド１２６は、回転軸１２７を中心に回転可能な円板状の本体１８０を有する。本体１８０の外周面には、半径方向外向きに突出する４つの押圧部１８１，１８２，１８３，１８４が、回転軸１２７を中心に９０度おきに設けられている。各押圧部は断面長方形状をなし、その各々の先端が押圧面１８１ａ，１８２ａ，１８３ａ，１８４ａを形成している。各押圧部の押圧面は、本体１８０の接線方向の長さ、つまり糊シート１２１に当接したときのその糊シート１２１の送り方向の長さＬが互いに異なるように形成されている。本実施形態においては、押圧部１８１，１８２，１８３，１８４の順にその送り方向の長さＬが長くなるように構成されている。なお、これらの押圧部が対向する用紙搬送プレート３４側の受圧面は、送り方向の長さＬが最も大きい押圧部１８４の押圧面１８４ａよりも十分に大きく形成されている。したがって、用紙搬送プレート３４に用紙を載置した状態で糊付けヘッド１２６の押圧面を受圧面に圧接して転写処理を行うと、その押圧面の送り方向の長さＬが受圧面に圧接される圧接長さとなり、糊シート１２１の糊が転写される転写長さとなる。以下においては便宜上、各押圧面の送り方向の長さＬを「圧接長さＬ」ともいう。
【００４７】
回転軸１２７の一端側はフレーム１２０に回転可能に支持されており、他端側はフレーム１２０に形成された開口部１２９から露出している。糊付けヘッド１２６の本体１８０は、その回転軸１２７の中間部に設けられている。回転軸１２７の本体１８０よりも先端側には、ロック部材１８６、つまみ１８７が順次固定されている。
【００４８】
ロック部材１８６は、本体１８０よりも外径が小さい円板状をなし、その外周面には、本体１８０の各押圧部に対応する位置に半円状の嵌合部１８８がそれぞれ設けられている。一方、ロック部材１８６の側方には、ボール状の嵌合部材１９０が対向配置されている。嵌合部材１９０は、スプリング１８９を介してフレーム１２０に支持されており、そのスプリング１８９の付勢力によってロック部材１８６側に付勢されている。嵌合部材１９０は、ロック部材１８６において９０度おきに配置されたいずれかの嵌合部１８８に嵌合することにより嵌合部材１９０の回転、ひいては本体１８０の回転をロックする。
【００４９】
つまみ１８７は長方形状をなし、その中心線に沿って回転軸１２７に固定されている。作業者は、フレーム１２０の開口部１２９から指を差し込んでつまみ１８７をつかみ、これを回転させることができる。それにより、糊付けヘッド１２６を回転させ、フレーム１２０の下方に突出させる押圧面を切り替えることができる。その際、嵌合部材１９０がいずれかの嵌合部１８８に嵌合することで押圧面の位置決めが行われる。同図（ａ）に示す例では、嵌合部材１９０が嵌合部１８８のひとつに嵌合することで、押圧部１８１の押圧面１８１ａが下方に位置されている。
【００５０】
同図（ｂ）および（ｃ）に示すように、回転軸１２７の本体１８０よりも基端側にはセンサ板１９２が固定され、そのセンサ板１９２に対向するように２つのセンサ１９３，１９４が配設されている。センサ板１９２は、大径部１９５と小径部１９６を有する円板状の本体を有する。大径部１９５の外径は小径部１９６のそれより大きく、回転軸１２７を中心に周方向に９０度よりも若干大きく形成されている。同図（ｂ）に示すように押圧面１８１ａが選択されているときに、センサ１９３，１９４の双方により検知される配置構成となっている。センサ１９３は回転軸１２７の上方に配置され、センサ１９４は、回転軸１２７を中心にセンサ１９３と９０度ずれた側方に配置されている。センサ１９３，１９４は、本実施形態では透過型の光センサからなり、センサ板１９２による遮光を検出することにより、本体１８０の回転位置を検知するものである。糊付け制御部１１２は、このセンサ１９３，１９４の出力に基づいて、４つの押圧面のいずれが用紙搬送プレート３４側の受圧面に対向しているかを検知する。なお、センサ１９３，１９４については反射型の光センサにより構成することも可能である。
【００５１】
図６は、センサ１９３，１９４による押圧面の検知方法を表す模式図である。（ａ）は、図５（ｂ）に対応した状態を表している。（ｂ）〜（ｄ）は、（ａ）の状態から糊付けヘッド１２６が９０度ずつ回転され、それに伴って各押圧部の押圧面が切り替えられ、センサ板１９２の回転位置が変化している様子を示している。
【００５２】
図６（ａ）に示す状態では、圧接長さＬが最も短い押圧面１８１ａが用紙搬送プレート３４の受圧面３５に対向配置されている。したがって、この状態で糊シートユニット３６が下降して糊付け処理が行われると、用紙への糊の転写長さが最も短くなる。このとき、センサ１９３，１９４はいずれもセンサ板１９２に対向して遮光を検知する。糊付け制御部１１２は、センサ１９３，１９４がこのような状態を検出しているときに、押圧面１８１ａに切り替えられた状態であると判定する。糊付け制御部１１２は、この状態を例えば２ビットの情報「００」にて表し、管理ＰＣ１００に送ることができる。
【００５３】
図６（ｂ）に示す状態では、圧接長さＬが二番目に短い押圧面１８２ａが受圧面３５に対向配置されている。したがって、この状態で糊付け処理が行われると、糊の転写長さが押圧面１８２ａの圧接長さＬとなる。このとき、センサ１９３はセンサ板１９２に対向して遮光を検知するが、センサ１９４はセンサ板１９２に対向しないため遮光を検知しない。糊付け制御部１１２は、センサ１９３，１９４がこのような状態を検出しているときに、押圧面１８２ａに切り替えられた状態であると判定する。糊付け制御部１１２は、この状態を例えば２ビットの情報「０１」にて表し、管理ＰＣ１００に送ることができる。
【００５４】
同様に、図６（ｃ）に示す状態では、糊の転写長さが二番面に長い押圧面１８３ａの圧接長さＬとなる。センサ１９３，１９４はいずれもセンサ板１９２に対向しないため遮光を検知しない。糊付け制御部１１２は、センサ１９３，１９４がこのような状態を検出しているときに、押圧面１８３ａに切り替えられた状態であると判定し、この状態を例えば２ビットの情報「１１」にて表し、管理ＰＣ１００に送ることができる。また、図６（ｄ）に示す状態では、糊の転写長さが最も長い押圧面１８４ａの圧接長さＬとなる。このとき、センサ１９３はセンサ板１９２に対向しないために遮光を検知しないが、センサ１９４はセンサ板１９２に対向して遮光を検知する。糊付け制御部１１２は、センサ１９３，１９４がこのような状態を検出しているときに、押圧面１８４ａに切り替えられた状態であると判定し、この状態を例えば２ビットの情報「１０」にて表し、管理ＰＣ１００に送ることができる。
【００５５】
管理ＰＣ１００は、糊付け制御部１１２から送られた情報に基づいて、現在の転写長さがどの状態にあるか等の情報をディスプレイ１０２に表示させることができる。作業者は、これを見てその転写長さでよいか否かを判断し、つまみ１８７を回すことにより所望の転写長さに切り替えることができる。
【００５６】
図２に戻る。用紙センサ４０は、発光素子および受光素子を有する光センサによって構成される。用紙センサ４０は、糊シートユニット３６の近傍且つ下流側に配置され、発光素子が発する光の受光量の変化を検知することにより、用紙搬送プレート３４上を搬送される用紙の先端を検知する。
【００５７】
糊転写機構３０を経て搬送された用紙は、綴じ機構５０に送り込まれる。綴じ機構５０は、サクション搬送機構５４、押し付け機構５５、積載台５２、用紙センサ６０、およびプッシャ６７を有する。本実施形態では、２つのサクション搬送機構５４が搬送方向に間隔を開けて並設されている。サクション搬送機構５４は、搬送ベルト６２、ローラ６４、およびエア吸引機構６６を有する。搬送ベルト６２は、一対のローラ６４に噛合して用紙搬送方向に延在するよう配置される。搬送ベルト６２によって囲われる領域には、エア吸引機構６６が設けられる。エア吸引機構６６は下面にエア吸引孔を有し、下方からエアを吸引する。搬送ベルト６２にはエアが通過するための貫通孔が設けられている。搬送ベルト６２の下面は用紙吸着面６２ａとなり、エア吸引機構６６がエアを吸引しているとき用紙吸着面６２ａに用紙が吸着される。
【００５８】
押し付け機構５５は、プッシャ５６を有する。押し付け機構５５はカム機構（図示せず）を有しており、プッシャ駆動モータが作動することによりカム機構を介してプッシャ５６が上下に移動する。こうしてプッシャ５６は、用紙吸着面６２ａより下方に進出し、および用紙吸着面６２ａより上方に退避することが可能となっている。
【００５９】
用紙センサ６０は、プッシャ５６の近傍且つ下流側に配置され、用紙吸着面６２ａに吸着されて搬送される用紙の先端を検知する。用紙センサ６０は、いわゆる超音波センサによって構成されている。具体的には、用紙センサ６０は、超音波を発信する超音波発信器、および超音波を受信する受信器を有する。超音波発信器は搬送される用紙に斜めに超音波を発信する。受信器は、搬送される用紙によって反射される超音波を受信する位置に配置される。これにより、受信器によって超音波が受信されたタイミングを、用紙先端部の検知タイミングと特定することができる。
【００６０】
なお、用紙センサ６０は、同様に斜めに光を照射する発光素子と、搬送される用紙によって反射される光を受光する受光素子とを有する光センサによって構成されていてもよい。また、用紙センサ６０は、回動可能な検出子を有していてもよい。この場合、検出子は、搬送される用紙の先端に当接して回動する。用紙センサ６０は、この検出子の回動を光センサによって検出することにより、用紙先端部を検出する。また、用紙センサ６０を、用紙の積載位置における用紙先端部を検出する位置に配置してもよい。用紙センサ６０は透過型の光センサによって構成されていてもよく、また、反射型の光センサによって構成されていてもよい。この場合、用紙先端部の検出タイミングが用紙の搬送停止タイミングとなる。
【００６１】
綴じ機構５０の下方には積載台５２が設けられる。積載台５２の上面には、用紙が積載される水平面である積載面５２ａが形成される。積載台５２は、積載面５２ａが用紙搬送プレート３４の上面よりも低くなるよう配置される。このときの用紙搬送プレート３４の上面と積載面５２ａとの段差は、この製本装置１０で作成できる中綴じ折り冊子の折り処理前の用紙束の最大厚さよりも大きくされている。積載台５２は２つのファン５８を有する。ファン５８は、それぞれ積載面５２ａのすぐ下に、プッシャ５６より上流側に一つ、下流側に一つ配置される。ファン５８が作動することにより、積載面５２ａに直接載置される最下位の用紙がエアの吸引力で積載面５２ａに吸着される。これにより、積載面５２ａに積載される用紙の水平方向へのずれが抑制される。
【００６２】
プッシャ６７は、積載台５２の最も上流側に通常配置される。プッシャ６７はボールネジ機構を介してモータに接続されており、このモータが作動することにより下流方向への移動して、積載面５２ａ上に積載された用紙束を折り機構７０に送り込む。
【００６３】
図７は、製本装置１０の機能ブロック図である。なお、図７は、ＣＰＵ、ＲＯＭ、ＲＡＭなどのハードウェア、およびソフトウェアの連携によって実現される機能ブロックが描かれている。したがって、これらの機能ブロックはハードウェアおよびソフトウェアの組合せによって様々な形で実現することができる。
【００６４】
管理ＰＣ１００は、サイズ情報取得部１５０および折りライン設定部１５２を有する。サイズ情報取得部１５０は、用紙の搬送方向長さを示す情報と用紙幅方向の幅方向長さを示す情報を含むサイズ情報を取得する。サイズ情報取得部１５０は、ユーザによって入力または選択された用紙サイズを示す情報をサイズ情報として取得してもよい。また、例えばトレイ２２に用紙サイズセンサが設けられている場合、検出された用紙サイズをサイズ情報として取得してもよい。
【００６５】
折りライン設定部１５２は、取得されたサイズ情報を利用して用紙に折りラインを設定する。具体的には、折りライン設定部１５２は、取得したサイズ情報に含まれる用紙の搬送方向長さを示す情報を利用して、搬送する用紙の先端部から搬送方向長さの半分の距離にある直線を折りラインとして設定する。なお、ユーザは、設定画面において、折りラインの位置として搬送する用紙の先端部からの距離を入力することが可能となっている。折りライン設定部１５２は、このようにユーザに入力された用紙先端部からの距離にある直線を折りラインとして設定してもよい。
【００６６】
給紙制御部１１０は、分離給送機構２４における、エアの吸引および吸引停止を切り換えるソレノイドや、搬送ベルトに噛合するローラを駆動するモータに接続されている。給紙制御部１１０は、搬送ベルトを駆動させた状態でエアの吸引および吸引停止を切り換えることで、給紙装置１２からの用紙の送り出しを制御する。
【００６７】
糊付け制御部１１２は、用紙センサ４０、搬送ローラ３２を駆動する用紙搬送モータ１５６、および糊シートユニット３６を昇降させる糊転写モータ１５８に接続されている。糊付け制御部１１２は、用紙センサ４０によって搬送される用紙の先端が検知されたときから、用紙搬送モータ１５６に入力する駆動パルスを計数する。計数した駆動パルスが所定数に至ったときに用紙搬送モータ１５６への駆動パルスの入力を停止して用紙の搬送を停止させる。こうして給紙制御部１１０は、用紙搬送プレート３４上の用紙を用紙搬送方向の所定位置で停止させる。給紙制御部１１０は、用紙の搬送を停止したときに糊転写モータ１５８を作動させて糊シートユニット３６を下降させることにより、用紙の上面に糊を転写する。糊付け制御部１１２は、転写間隔調整モータ１５９に駆動パルスを出力して糊シートユニット３６の間隔、すなわち糊シートユニット３６による用紙への糊転写箇所の間隔を調整する。
【００６８】
綴じ制御部１１４は、用紙センサ６０、搬送ベルト６２を駆動するベルト駆動モータ１６０、およびプッシャ５６を昇降させるプッシャ駆動モータ１６２に接続されている。綴じ制御部１１４は、用紙センサ６０によって搬送される用紙の先端が検知されたときから、ベルト駆動モータ１６０に入力する駆動パルスを計数する。計数した駆動パルスが所定数に至ったときにベルト駆動モータ１６０への駆動パルスの入力を停止して用紙の搬送を停止させる。こうして綴じ制御部１１４は、用紙吸着面６２ａに吸着された用紙を用紙搬送方向の所定位置で停止させる。
【００６９】
綴じ制御部１１４は、用紙の搬送を停止したときに、プッシャ５６を用紙吸着面６２ａより下方に進出させることにより、用紙吸着面６２ａに吸着された用紙を押し付け面で積載面５２ａに向けて押し付ける。綴じ制御部１１４は、プッシャ５６を下方に進出させるタイミングで、用紙吸着面６２ａからのエアの吸引および吸引停止を切り換えるソレノイドをオフにすることにより、用紙吸着面６２ａからのエアの吸引を停止させる。こうして綴じ制御部１１４は、積載面５２ａに用紙が積載されていないときには、積載面５２ａに搬送された用紙を載置する。積載面５２ａにすでに用紙が積載されているときには、搬送された用紙の下面を、積載面５２ａに積載された用紙のうち最上位の用紙の上面に押し付けて貼り合わせる。
【００７０】
折り制御部１１６は、折りストッパ７４を搬送方向に移動させるストッパ移動モータ１６４、折りナイフ７６を昇降させる折りナイフ駆動モータ１６６、および折りローラ７８を駆動する折りローラ駆動モータ１６８に接続されている。折り制御部１１６は、貼り合わされた用紙束が折り機構７０に送り込まれる前に、折りストッパ７４を所定位置に移動させておく。折り制御部１１６は、用紙束が折りストッパ７４に当接した後、折りナイフ駆動モータ１６６および折りローラ駆動モータ１６８を作動させ、折りナイフ７６を上昇させて用紙束を折りローラ７８に挟持させて折りたたんで冊子を作成する。
【００７１】
管理ＰＣ１００は、ユーザによって入力された仕上がりサイズを仕上がりサイズ情報として取得する。なお、管理ＰＣ１００は、サイズ情報取得部１５０によって取得された用紙サイズ情報が示すサイズの用紙を半分に折りたたんだサイズから、さらに断裁マージンを差し引いたサイズを、冊子の仕上がりサイズとして取得してもよい。管理ＰＣ１００は、取得した仕上がりサイズ情報を断裁制御部１１８に送信する。
【００７２】
断裁制御部１１８は、ストッパ移動モータ１７０および天地断裁刃移動モータ１７２に接続されている。断裁制御部１１８は、受信した仕上がりサイズ情報に基づいて、小口の断裁位置、および天地の断裁位置を特定する。断裁制御部１１８は、特定した位置で小口を断裁するよう、ストッパ移動モータ１７０を作動させてストッパ９４を移動させる。また、断裁制御部１１８は、特定した位置で天地を断裁するよう、天地断裁刃移動モータ１７２を作動させて天地断裁刃を移動させる。
【００７３】
図８は、製本装置１０の製本手順を示すフローチャートである。本フローチャートにおける処理は、ユーザによってスタートボタンが押された後、ユーザによって入力された冊子数と、一つの冊子を構成する用紙枚数を掛け合わせた総用紙枚数の搬送が完了するまで、給紙装置１２における給紙タイミング毎に繰り返し実施される。
【００７４】
管理ＰＣ１００は、中綴じ折り装置１４および断裁装置１６にて円滑に製本処理が進行するよう、給紙タイミングを示す信号を給紙制御部１１０に送信する。給紙制御部１１０は、給紙タイミングを示す信号を受信すると、トレイ２２から用紙を１枚送り出す給紙処理を実施する（Ｓ１４）。
【００７５】
管理ＰＣ１００は、糊転写機構３０に用紙が送り込まれるタイミングで、その用紙が冊子の最後の用紙か否かを示す情報を糊付け制御部１１２に送信する。糊付け制御部１１２は、その情報に基づいて、送り込まれる用紙が冊子の最後の用紙か否かを判定する（Ｓ１６）。
【００７６】
冊子の最終用紙でないと判定された場合（Ｓ１６のＮ）、糊付け制御部１１２は、糊転写機構３０の糊付けヘッド１２６の押圧面が押し当てられる用紙搬送方向における位置を糊付け基準位置として、この糊付け基準位置に折りラインが位置したときに用紙の搬送を停止させる（Ｓ３４）。用紙が停止すると、糊付け制御部１１２は、糊シートユニット３６を下降させて用紙の上面に糊を転写する（Ｓ３６）。このように糊付け基準位置に折りラインが位置している状態で糊を転写させることにより、折りライン周辺に糊付けすることができる。糊付け制御部１１２は、糊が転写された用紙を綴じ機構５０へ搬送させる（Ｓ３８）。
【００７７】
Ａトレイ２２ＡとＢトレイ２２Ｂとに異なるサイズの用紙が収容され、一つの冊子にこのように異なるサイズの用紙を重ね合わせて中綴じ折り冊子を作成する場合がある。なお、このような場合においても、断裁装置１６において三方が断裁されるため、最終的に作成される中綴じ折り冊子は三方の縁が揃ったものとなる。用紙のサイズが異なる場合においても通常は用紙の搬送方向中央のラインが折りラインとなるため、用紙のサイズが異なる場合には搬送される用紙の先端から折りラインまでの距離も異なることになる。このように一つの冊子に異なるサイズの用紙が使われることを考慮し、管理ＰＣ１００は、綴じ機構５０に用紙が送り込まれるタイミングで、その用紙に設定された折りラインの位置を示す折りライン情報を綴じ機構５０に送信する。
【００７８】
綴じ制御部１１４は、プッシャ５６の中心に位置するラインを綴じ基準ラインとして、綴じ基準ラインに折りラインが位置したときに用紙の搬送を停止させる（Ｓ４０）。用紙の搬送が停止されると、綴じ制御部１１４は、プッシャ５６を下降させて積載面５２ａに向けて用紙を押し付け（Ｓ４２）、本フローチャートにおける処理を一旦終了する。
【００７９】
冊子の最終用紙と判定された場合（Ｓ１６のＹ）、糊付け制御部１１２は、糊転写を回避する（Ｓ１８）。このように冊子の最終用紙には用紙に糊付けしないことで、綴じられて作成される用紙束の上面に糊付けされることが回避される。
【００８０】
Ｓ２０〜Ｓ２４の処理はＳ３８〜Ｓ４２と同様であることから説明を省略する。冊子の最終用紙を貼り合わせて用紙束の作成が終了すると、綴じ制御部１１４は、ファン５８の作動を停止させて用紙束の吸着を解除した後、プッシャ６７を下流側に移動させて作成された用紙束を折り機構７０に送り出す（Ｓ２６）。折り制御部１１６は、折りナイフ７６が上昇したときに用紙に当接する用紙搬送方向の位置を折り位置として、折りストッパ７４に用紙束が当接したときに、この折り位置に作成された用紙束の折りラインが位置するよう、折りストッパ７４の位置を調整する（Ｓ２８）。搬送された用紙束の先端が折りストッパ７４に当接したタイミングで、折り制御部１１６は、折りナイフ７６を上昇させて用紙束を折りローラ７８に挟持させて折りたたむ折り処理を実施する（Ｓ３０）。折りたたまれて作成された中綴じ折り冊子は、断裁装置１６に送り込まれる。断裁制御部１１８は、送り込まれた冊子の三方を断裁する断裁処理を実施する（Ｓ３２）。こうして作成された中綴じ折り冊子は、スタッカ１８に積載される。
【００８１】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【００８２】
図９は、第１の変形例に係る糊付けヘッド２２６およびその周辺の構成を模式的に表した図である。（ａ）は糊付けヘッド２２６およびその回転機構の構成を表し、（ｂ）は糊付けヘッド２２６の単体の構成を表している。同図において上記実施形態と同様の構成については同一の符号を付し、その説明を省略する。
【００８３】
本変形例においては、上記実施形態とは異なり、糊付けヘッド２２６が複数の押圧面のそれぞれを一辺とする多角形状に形成されている。すなわち、糊付けヘッド２２６の本体２８０は五角形をなし、その各辺が用紙搬送プレート３４の受圧面３５に圧接される押圧面２８１，２８２，２８３，２８４，２８５を構成している。各押圧面は、圧接長さＬが互いに異なるように設定されているため、押圧面を切り替えることにより、糊シート１２１による糊の転写長さを変更することができる。ロック部材２８６の外周面には、本体２８０の各押圧部に対応する位置に半円状の嵌合部１８８がそれぞれ設けられている。このように糊付けヘッド２２６を単純な形状とすることで、装置の製造コストの低減を図ることも可能となる。なお、本変形例においては押圧面が５つ形成されるため、センサ１９３，１９４のようなセンサを少なくとも３つ設ける必要がある。
【００８４】
図１０は、第２の変形例に係るセンサの構成およびセンサによる押圧面の検知方法を表す模式図である。（ａ）はセンサの配置構成を表し、（ｂ）はセンサ部単体の構成を表している。同図において上記実施形態と同様の構成については同一の符号を付し、その説明を省略する。
【００８５】
本変形例においては、上記実施形態とは異なり、センサ板３９２が円形をなし、その周縁部にセンサ１９３による被検出部３５１，３５２，３５３，３５４が設けられている。各被検出部は、回転軸１２７を中心に約９０度の間隔をあけて配置され、センサ板３９２を厚み方向に貫通する１つまたは複数の円孔にて構成される。すなわち、被検出部３５１は１つの円孔からなり、被検出部３５２は周方向に並設された２つの円孔からなる。被検出部３５３は周方向に並設された３つの円孔からなり、被検出部３５４は周方向に並設された４つの円孔からなる。なお、本変形例では各被検出部を円孔にて構成しているが、これと異なる形状の孔にて構成してもよいし、センサにより識別可能なマーク等によって構成してもよい。
【００８６】
センサ１９３は、光センサにて構成され、その対向部を通過する円孔の数に応じた信号を出力する。本変形例では、図示しないワンウェイクラッチ等により、糊付けヘッド１２６の回転方向、つまりセンサ板３９２の回転方向が一方向（図の反時計回りの方向）となるように構成されている。このため、糊付け制御部１１２は、センサ１９３により１つの円孔が検出された後に２つの円孔が連続して検出されると、押圧面１８１ａに切り替えられたと判定することができる。この場合、被検出部３５１と被検出部３５２との間隔が、被検出部３５２として並設された２つの円孔の間隔よりも十分に大きく、被検出部３５１，３５２がセンサ１９３を通過するときのセンサ板３９２の回転速度もほぼ一定とみなせる。このため、糊付け制御部１１２が被検出部の切り替わりを誤判定することはない。
【００８７】
上記実施形態では、糊転写機構３０として、糊シートユニット３６を上方から下降させて糊付けを行うものを示したが、糊シートユニット３６を下方から上昇させて糊付けを行う構成としてもよい。例えば、用紙搬送プレート３４の載置面に開口部を設け、糊シートユニット３６の糊付けヘッド１２６を下方から露出させる構成としてもよい。その場合、用紙搬送プレート３４の上方の糊シートユニット３６との対向位置に受圧部材としての転写板を設け、糊付けヘッド１２６の押圧面に対する受圧面を構成するようにしてもよい。糊付けの際には、この糊付けヘッド１２６の押圧面と転写板の受圧面との間に用紙を介装させた状態で糊付けヘッド１２６を上昇させ、糊シート１２１の糊を転写させるようにする。その場合においても、上述のように糊付けヘッド１２６の押圧面を切り替えることにより、糊の転写長さを変更することができる。
【００８８】
このように転写板を設けるような場合、糊付けヘッドの押圧面を切り替えるのではなく、転写板側の受圧面を切り替え可能な構成としてもよい。例えば、糊付けヘッドの押圧面を比較的大きく構成し、転写板側にその押圧面よりも小さな複数の受圧面を構成してもよい。複数の受圧面は、糊シート１２１の送り方向の長さ、つまり圧接長さが互いに異なるようにする。例えば、転写板を並進機構により並進可能な構成とし、その並進方向に複数の受圧面を配列して切り替えられるようにしてもよい。あるいは、転写板を自軸回りに回転可能に構成し、その周囲に複数の受圧面を配列して切り替えられるようにしてもよい。なお、糊シートユニット３６を上方から下降させて糊付けを行う装置構成であっても、上記転写板を用紙搬送プレート３４に変位可能に埋設することで、受圧面側を切り替える構成を実現できる。
【００８９】
上記実施形態では、作業者が糊付けヘッド１２６を手動で回転させてその押圧面を切り替える構成としたが、モータ等のアクチュエータを設置し、糊付け制御部１１２が糊付けヘッド１２６を回転駆動してその押圧面を自動的に切り替える構成としてもよい。その場合、糊付け制御部１１２がセンサによる押圧面の検知情報を取得し、所定の切り替え条件が満たされたときに押圧面を自動的に切り替えるなど、制御の幅を広げることができる。
【００９０】
なお、上記実施形態では、綴じ機構５０や折り機構７０の構成など、製本装置の一つの具体的構成例を示したが、それ以外に種々の態様の構成を採用できることはいうまでもない。上記実施形態では、中綴じ折り冊子を製本する装置の例を示したが、用紙の端部を綴じるタイプの製本装置であっても、上述した糊シートユニット３６の構成を有効に適用することができる。
【図面の簡単な説明】
【００９１】
【図１】実施形態に係る製本装置の全体構成図である。
【図２】糊転写機構および綴じ機構の構成を示す図である。
【図３】糊シートユニットの構成を模式的に表した図である。
【図４】図３において糊シートユニットを視点Ｐから見た図である。
【図５】糊付けヘッドおよびその周辺の構成を模式的に表した図である。
【図６】センサによる押圧面の検知方法を表す模式図である。
【図７】製本装置の機能ブロック図である。
【図８】製本装置の製本手順を示すフローチャートである。
【図９】第１の変形例に係る糊付けヘッドおよびその周辺の構成を模式的に表した図である。
【図１０】第２の変形例に係るセンサの構成およびセンサによる押圧面の検知方法を表す模式図である。
【符号の説明】
【００９２】
１０  製本装置、  １２  給紙装置、  １４  中綴じ折り装置、  １６  断裁装置、  ２０  管理装置、  ３０  糊転写機構、  ３４  用紙搬送プレート、  ３５  受圧面、  ３６  糊シートユニット、  ５０  綴じ機構、  ７０  折り機構、  ８０  ベルト搬送機構、  ９０  三方断裁機構、  １００  管理ＰＣ、  １１０  給紙制御部、  １１２  糊付け制御部、  １１４  綴じ制御部、  １１６  折り制御部、  １１８  断裁制御部、  １２０  フレーム、  １２１  糊シート、  １２２  供給リール、  １２４  巻取りリール、  １２６  糊付けヘッド、  １３６  昇降部材、  １８６  ロック部材、  １８８  嵌合部、  １９０  嵌合部材、  １９２  センサ板、  １９３  センサ、  １９４  センサ、  ２２６  糊付けヘッド、  ２８１  押圧面、  ２８６  ロック部材、  ３９２  センサ板。
【図１】
2009196792.tif 000003
【図２】
2009196792.tif 000004
【図３】
2009196792.tif 000005
【図４】
2009196792.tif 000006
【図５】
2009196792.tif 000007
【図６】
2009196792.tif 000008
【図７】
2009196792.tif 000009
【図８】
2009196792.tif 000010
【図９】
2009196792.tif 000011
【図１０】
2009196792.tif 000012